(57)【要約】   【課題】楽曲のフレーズの再生に先だってそのフレーズに対応する歌詞を提示することができる音楽再生装置を提供する。  【解決手段】その時刻において、歌詞表示テーブルのポインタＰ１が示すテーブルＡの時刻が、現時刻か否かを判断する（Ｓ３２）。ポインタＰ１が示す時刻情報が現時刻と一致する場合には、（Ｓ３２：Ｙｅｓ）、そのポインタが示すフレーズのテキストデータをビデオボード２０へ送信し、歌詞の表示を更新する（Ｓ３６）。つぎに、現時刻とポインタＰ２が示すテーブルＢの時刻情報が、現時刻か否かを判断する（Ｓ３８）。ポインタＰ２が示す時刻情報が現時刻と一致する場合には、（Ｓ３８：Ｙｅｓ）、そのポインタが示すフレーズのテキストデータを音声合成装置２４へ送信し、歌詞の発声を行い（Ｓ４０）このルーチンを終了する。  【選択図】    図３
2005258241.tif 000002
【特許請求の範囲】
【請求項１】
所望の楽曲の再生を行う楽曲再生手段と、
前記楽曲の各フレーズに対応する歌詞とその歌詞を楽曲の進行に応じて発声するための時間情報とを記憶する歌詞情報記憶手段と、
前記楽曲再生手段が楽曲を再生する経過時間を計時する計時手段と、
その計時手段により計時された時間と前記歌詞情報記憶手段に記憶された時間情報とに基づいて、前記楽曲再生手段が所定のフレーズを再生する前に、前記歌詞情報記憶手段に記憶された前記所定のフレーズに対応する歌詞を発声する音声合成手段とを備えていることを特徴とする音楽再生装置。
【請求項２】
前記歌詞情報記憶手段は、前記楽曲の各フレーズに対応する歌詞を楽曲の進行に応じて表示するための第２の時間情報を記憶し、前記計時手段により計時された時間と前記第２の時間情報とに基づいて、前記楽音再生手段が所定のフレーズの再生を開始する前に、そのフレーズに対応する歌詞を表示する歌詞表示手段をさらに備えていることを特徴とする請求項１に記載の音楽再生装置。
【請求項３】
所望の楽曲のデジタルオーディオデータをネットワークを介して受信する通信手段をさらに備え、前記楽曲再生手段は、前記通信手段により受信された楽曲を再生するものであることを特徴とする請求項１または２に記載の音楽再生装置。
【請求項４】
楽曲が記録された記録媒体を着脱自在に装着しその装着された記録媒体に記録された楽曲を再生する楽曲再生手段と、
複数の楽曲の各フレーズに対応する歌詞とその歌詞を楽曲の進行に応じて提示するための時間情報とを記憶する歌詞情報記憶手段と、
装着された記録媒体に記録されている楽曲を識別する識別手段と、
前記楽曲再生手段が楽曲を再生する経過時間を計時する計時手段と、
その計時手段が計時する経過時間と、前記歌詞情報記憶手段に記憶され前記識別手段により識別された楽曲の時間情報とに基づいて、前記楽曲再生手段が所定のフレーズを再生する前に、前記歌詞情報記憶手段に記憶され前記識別手段により識別された楽曲の前記所定のフレーズに対応する歌詞を提示する提示手段とを備えていることを特徴とする音楽再生装置。
【請求項５】
前記識別手段が識別した楽曲に対応する歌詞情報が前記歌詞情報記憶手段に記憶されていない場合は、サーバーにアクセスして前記楽曲の歌詞情報を取得する通信手段をさらに備えていることを特徴とする請求項４に記載の音楽再生装置。
【請求項６】
前記提示手段は、歌詞を音声で発声する音声合成手段を有することを特徴とする請求項４または５に記載の楽音再生装置。
【請求項７】
前記提示手段は、歌詞を文字で表示する表示手段を有することを特徴とする請求項４または５に記載の楽音再生装置。
【請求項８】
前記歌詞情報記憶手段は、各フレーズに対応する歌詞を楽曲の進行に応じて発声するための第１の時間情報と、各フレーズに対応する歌詞を楽曲の進行に応じて表示するための第２の時間情報とを記憶し、
前記提示手段は、前記計時手段により計時された時間と前記識別手段により識別された楽曲の前記第１の時間情報とに基づいて前記楽曲再生手段が所定のフレーズを再生する前に、前記識別手段により識別された楽曲の前記所定のフレーズに対応する歌詞を発声する音声合成手段と、前記計時手段により計時された時間と前記識別手段により識別された楽曲の前記第２の時間情報に基づいて、前記楽曲再生手段が所定のフレーズを再生する前に、前記識別手段により識別された楽曲の前記所定のフレーズに対応する歌詞を表示する表示手段とを有するものであることを特徴とする請求項４または５に記載の音楽再生装置。
【発明の詳細な説明】
【技術分野】
【０００１】
本発明は、カラオケ装置などのように楽曲の伴奏に先だって歌詞を提示することができる音楽再生装置に関する。
【背景技術】
【０００２】
従来、カラオケ装置などの音楽再生装置では、２小節や４小節などの長さのフレーズの伴奏が演奏される前に、表示画面にそのフレーズに対応する歌詞を表示し、歌い手はその歌詞を見ながら歌唱することが行われていた。例えば、特許第２５０８３９４号公報（特許文献１）には、フレーズの伴奏が開始される前にそのフレーズに対応する歌詞を表示画面に表示し、フレーズの進行に従って歌詞の文字表示の色を順次変える装置が開示されている。
【０００３】
また、特開平１１−２６００４５号公報（特許文献２）には、ＣＤなどの記録媒体を再生装置に装着すると、ＣＤなどに格納されている曲目に関する歌詞などの情報がサーバからダウンロードできるシステムが開示されている。
【特許文献１】特許第２５０８３９４号公報
【特許文献２】特開平１１−２６００４５号公報
【発明の開示】
【発明が解決しようとする課題】
【０００４】
しかしながら、上記特許文献１に開示された発明では、歌い手は、表示画面に表示された歌詞を見ることができない場合、例えば、車を運転しているときなど、には、歌詞が分からないという問題点があった。また、予め楽曲と歌詞とが対になって記録されていないと歌詞を表示することができないという問題点もあった。
【０００５】
また、特許文献２に開示された発明では、表示器に歌詞を表示することはできるが、再生装置が再生する楽曲の進行に応じて適切なタイミングで歌詞を表示したり発声したりすることはできないという問題点があった。
【０００６】
本発明は、上記問題点を解決するためになされたものであり、楽曲のフレーズの再生に先だってそのフレーズに対応する歌詞を提示することができる音楽再生装置を提供することを目的とする。
【課題を解決するための手段】
【０００７】
この目的を達成するために、請求項１記載の音楽再生装置は、所望の楽曲の再生を行う楽曲再生手段と、前記楽曲の各フレーズに対応する歌詞とその歌詞を楽曲の進行に応じて発声するための時間情報とを記憶する歌詞情報記憶手段と、前記楽曲再生手段が楽曲を再生する経過時間を計時する計時手段と、その計時手段により計時された時間と前記歌詞情報記憶手段に記憶された時間情報とに基づいて、前記楽曲再生手段が所定のフレーズを再生する前に、前記歌詞情報記憶手段に記憶された前記所定のフレーズに対応する歌詞を発声する音声合成手段とを備えている。
【０００８】
請求項２記載の音楽再生装置は、請求項１記載の音楽再生装置において、前記歌詞情報記憶手段は、前記楽曲の各フレーズに対応する歌詞を楽曲の進行に応じて表示するための第２の時間情報を記憶し、前記計時手段により計時された時間と前記第２の時間情報に基づいて、前記楽曲再生手段が所定のフレーズを再生する前に、前記歌詞情報記憶手段に記憶された前記所定のフレーズに対応する歌詞を表示する表示手段をさらに備えている。
【０００９】
請求項３記載の音楽再生装置は、請求項１または２に記載の音楽再生装置において、所望の楽曲のデジタルオーディオデータをネットワークを介して受信する通信手段をさらに備え、前記楽曲再生手段は、前記通信手段により受信された楽曲を再生するものである。
【００１０】
請求項４に記載の音楽再生装置は、楽曲が記録された記録媒体を着脱自在に装着しその装着された記録媒体に記録された楽曲を再生する楽曲再生手段と、複数の楽曲の各フレーズに対応する歌詞とその歌詞を楽曲の進行に応じて提示するための時間情報とを記憶する歌詞情報記憶手段と、装着された記録媒体に記録されている楽曲を識別する識別手段と、前記楽曲再生手段が楽曲を再生する経過時間を計時する計時手段と、その計時手段が計時する経過時間と、前記歌詞情報記憶手段に記憶され前記識別手段により識別された楽曲の時間情報とに基づいて、前記楽曲再生手段が所定のフレーズを再生する前に、前記歌詞情報記憶手段に記憶され前記識別手段により識別された楽曲の前記所定のフレーズに対応する歌詞を提示する提示手段とを備えている。
【００１１】
請求項５に記載の音楽再生装置は、請求項４に記載の音楽再生装置において、前記識別手段が識別した楽曲に対応する歌詞情報が前記歌詞情報記憶手段に記憶されていない場合は、サーバにアクセスして前記楽曲の歌詞情報を取得する通信手段をさらに備えている。
【００１２】
請求項６に記載の音楽再生装置は、請求項４または５に記載の音楽再生装置において、前記提示手段は、歌詞を音声で発声する音声合成手段を有するものである。
【００１３】
請求項７に記載の楽音再生装置は、請求項４または５に記載の音楽再生装置において、前記提示手段は、歌詞を文字で表示する表示手段を有するものである。
【００１４】
請求項８に記載の楽音再生装置は、請求項４または５に記載の音楽再生装置において、
前記歌詞情報記憶手段は、各フレーズに対応する歌詞を楽曲の進行に応じて発声するための第１の時間情報と、各フレーズに対応する歌詞を楽曲の進行に応じて表示するための第２の時間情報とを記憶し、前記提示手段は、前記計時手段により計時された時間と前記識別手段により識別された楽曲の前記第１の時間情報とに基づいて前記楽曲再生手段が所定のフレーズを再生する前に、前記識別手段により識別された楽曲の前記所定のフレーズに対応する歌詞を発声する音声合成手段と、前記計時手段により計時された時間と前記識別手段により識別された楽曲の前記第２の時間情報に基づいて、前記楽曲再生手段が所定のフレーズを再生する前に、前記識別手段により識別された楽曲の前記所定のフレーズに対応する歌詞を表示する表示手段とを有するものである。
【発明の効果】
【００１５】
請求項１記載の音楽再生装置によれば、楽曲の各フレーズ毎の歌詞とその各フレーズの歌詞を楽曲の進行に応じて発声するための時間情報とを記憶する歌詞情報記憶手段と、楽曲再生手段が楽曲を再生する経過時間を計時する計時手段と、その計時手段により計時された時間と歌詞情報記憶手段に記憶された各フレーズに対応する時間情報とに基づいて、楽曲再生手段が所定のフレーズを再生する前に、そのフレーズに対応する歌詞を発声する音声合成手段とを備えているので、各フレーズの演奏が始まる前に、そのフレーズの歌詞を音声により提示することができるという効果がある。また、歌い手は、表示手段に表示された歌詞を見ることができなくてもフレーズ毎に、そのフレーズの演奏が始まる前に歌詞を知ることができる。
【００１６】
請求項２記載の音楽再生装置によれば、請求項１記載の音楽再生装置の奏する効果に加え、歌詞情報記憶手段は、各フレーズを楽曲の進行に応じて表示するための第２の時間情報を記憶し、前記計時手段により計時された時間と前記第２の時間情報に基づいて、前記楽曲再生手段が所定のフレーズを再生する前に、前記歌詞情報記憶手段に記憶された前記所定のフレーズに対応する歌詞を表示する表示手段をさらに備えているので、歌詞を音声により適切なタイミングで提示するとともに、音声で提示するタイミングとは、異なるタイミングで歌詞を適切に表示手段に表示できるという効果がある。表示手段が十分な大きさであれば、長いフレーズを一度に表示することができるが、音声で提示する場合には、フレーズとフレーズの間が短い場合には、長いフレーズを挿入できないので、少しずつ提示する必要がある。
【００１７】
請求項３に記載の音楽再生装置によれば、請求項１または２に記載の音楽再生装置の奏する効果に加え、所望の楽曲のデジタルオーディオデータをネットワークを介して受信する通信手段をさらに備え、楽曲再生手段は、通信手段により受信された楽曲を再生するものであるので、通信手段により受信された楽曲の歌詞を音声により提示することができるという効果がある。
【００１８】
請求項４に記載の音楽再生装置によれば、楽曲が記録された記録媒体を着脱自在に装着し、その装着された記録媒体に記録された楽曲を再生する楽曲再生手段と、複数の楽曲の各フレーズ毎の歌詞とその各フレーズの歌詞を楽曲の進行に応じて提示するための時間情報とを記憶する歌詞情報記憶手段と、記録媒体に記録されている楽曲を識別する識別手段と、楽曲を再生する経過時間を計時する計時手段とを備えているので、経過時間に基づいてフレーズが再生する前に、フレーズに対応する歌詞を提示することができるとともに、記録媒体に歌詞情報が記憶されていなくても、歌詞をフレーズ毎に楽曲の再生に応じて提示することができるという効果がある。
【００１９】
請求項５に記載の音楽再生装置によれば、請求項４に記載の音楽再生装置の奏する効果に加え、識別手段が識別した楽曲に対応する歌詞情報が歌詞情報記憶手段に記憶されていない場合は、サーバにアクセスして楽曲の歌詞情報を取得する通信手段をさらに備えているので、歌詞情報記憶手段に記憶されていない楽曲の歌詞情報を取得できるという効果がある。
【００２０】
請求項６に記載の音楽再生装置によれば、請求項４または５に記載の音楽再生装置の奏する効果に加え、提示手段は、歌詞を音声で発声する音声合成手段を有するので、歌い手が表示器を見ることができなくてもフレーズが再生される前にフレーズの歌詞を知ることができるという効果がある。
【００２１】
請求項７に記載の楽音再生装置によれば、請求項４または５に記載の音楽再生装置の奏する効果に加え、提示手段は、歌詞を文字で表示する表示手段を有するので、歌い手は、表示手段を見ることによりフレーズが再生される前にフレーズの歌詞を知ることができるという効果がある。
【００２２】
請求項８に記載の楽音再生装置は、請求項４または５に記載の音楽再生装置において、歌詞情報記憶手段は、各フレーズを楽曲の進行に応じて発声するための第１の時間情報と、各フレーズを楽曲の進行に応じて表示するための第２の時間情報とを記憶し、提示手段は、計時手段により計時された時間と第１の時間情報に基づいて所定のフレーズを再生する前に、そのフレーズに対応する歌詞を発声する音声合成手段と、計時手段により計時された時間と第２の時間情報に基づいて、フレーズを再生する前に、そのフレーズに対応する歌詞を表示するものであるので、歌詞を表示するタイミングと歌詞を音声で提示するタイミングをそれぞれ設定することができるので、それぞれの提示に最適な提示を行うことができるという効果がある。
【発明を実施するための最良の形態】
【００２３】
以下、本発明の好ましい実施例について、添付図面を参照して説明する。図１は、本発明の実施の形態の一例による音楽再生装置１のブロック図である。この音楽再生装置１は、家庭で使用されるラジカセタイプのものでもよいし、自動車に搭載されるカーオーディオ装置やカーナビゲーション装置と一体に構成されるものでもよい。
【００２４】
ＣＰＵ１０は、中央情報処理装置であり、ＲＯＭ１２に記憶された制御プログラムに従って各種処理を行う。ＲＯＭ１２には、各種制御プログラムやそのプログラムで参照される各種データが記憶されている。主な制御プログラムとしては、メイン処理プログラム１２ａ、歌詞処理プログラム１２ｂ、ＣＤ情報解析プログラム１２ｃなどが記憶されている。ＲＡＭ１４は、ＣＰＵが処理を行う際にワークエリアとして使用する一時記憶するためのエリアなどを有する。
【００２５】
ハードディスク１６は、大容量の記憶装置であって、多量のデータを記憶することができる。このハードディスク１６には、歌詞情報データベース１６ａとしてこれまでに発売されたＣＤなどのＴＯＣと、そのＣＤに記録されている複数の曲それぞれの歌詞、タイトル、その曲を歌っている歌手、作曲者、作詞者などのテキストデータが記憶されている。ＴＯＣとは、Table of Contents の頭文字で、ＣＤの目次情報であり、タイトルなどの文字情報は記録されていないが、ＣＤが記録している各曲の開始時間（絶対時間）などが記憶されている。このＴＯＣは、ＣＤのリードイン領域というＣＤをロードした場合に最初に読み出される領域に記憶されている。
【００２６】
歌詞は、図４に示すように、フレーズ毎に番号(1)、(2)、(3)・・が付されて記憶され、表示用の時間情報ｆａとその時刻に表示するフレーズの番号が再生順にテーブルＡに、発声用の時間情報ｆｂとその時刻に発声されるフレーズの番号が再生順にテーブルＢにそれぞれ記憶されている。
【００２７】
表示用の時間情報は、その時刻に表示器２２に表示するフレーズを示すもので、例えば、同図において、時刻ｆａ１では、(1)と(2)とで示される歌詞を表示し、時刻ｆａ２では、それまで表示していた歌詞を消去して(3)と(4)とで示される歌詞を表示するものである。
【００２８】
発声用の時間情報も同様に、その時刻に音声合成装置２４により発声するフレーズを示す情報で、例えば、時刻ｆｂ１では、(1)、時刻ｆｂ２では、(2)により示される歌詞を発声する。これらの時刻は、各フレーズに対応する楽曲が再生される時刻の前に設定されている。これらの時刻の単位は、フレームであり、７５フレームが１秒に対応する。ＣＤに記録されている情報は、フレームと呼ばれる単位で記録され、１秒が０から７４までの７５のフレームで構成されている。各フレームは、２４ビットのフレーム同期信号、サブコード情報、オーディオデータなどから構成される。
【００２９】
歌詞情報としては、さらに歌詞のテキストデータに付随して、歌詞を発声する場合の、ピッチや音量レベルの抑揚を制御する情報を記憶している。各フレーズ毎に、フレーズの開始からの時間経過に従って、ピッチおよび音量レベルの値を設定する情報であって、これらの情報は、音声合成装置２４に供給され、音声合成装置２４がテキストデータに基づいて発声する際、自然な発声が行われるように制御される。
【００３０】
ハードディスク１６には、この歌詞情報データベース１６ａの他に、この装置に挿入されたＣＤ、ＭＤ、ＭＰ３などの履歴が挿入ＣＤ履歴データベース１６ｂとして記録される。この装置では、歌詞の著作権を保護するために、ＣＤ等を保有している場合には、そのＣＤに記録されている楽曲の歌詞を表示するが、ＣＤ等を保有していない場合には、歌詞の表示を行わないようにしている。したがって、一度ＣＤ等を挿入し、挿入されたことが履歴として記録されると、そのＣＤを挿入しなくても歌詞を表示させることが可能となる。
【００３１】
データ通信装置１８は、電話回線や光ファイバーを使用してインターネットなどを介して歌詞情報を提供するサーバ４０と通信を行うもので、ハードディスク１６に記憶されていない曲の歌詞情報を取得するためのものである。サーバ４０は、契約しているユーザを対象として有料または無料で歌詞情報を提供するコンピュータであって、市販されているＣＤ等のＴＯＣに対応して歌詞情報を歌詞情報データベース４０ａに記憶し、ユーザから送信されてきたＴＯＣに基づいて、検索を行い歌詞情報を配信するものである。
【００３２】
新たに発売された曲の歌詞情報が作成された場合に、サーバ４０が自動的に音楽再生装置１に供給するようにしてもよいし、音楽再生装置にＣＤ等が挿入されて、そのＣＤ等の歌詞情報が記憶されていないと判明したときに取得するようにしてもよい。
【００３３】
また、サーバ４０は、楽曲のデジタルオーディオデータをＭＰ３などの形式で記憶し、データ通信装置１８がそのデータをダウンロードしてハードディスク１６に記憶し、ＭＰ３プレーヤ３０により再生することができる。さらに、ストリーミング再生を可能とすることにより、受信開始直後から再生することができ、ハードディスク１６に歌詞情報が記憶されていれば、フレーズの再生の前にそのフレーズの歌詞を提示することができる。
【００３４】
インターネットなどを介してストリーミング放送がライブ、あるいはオンデマンドで行われており、予めプログラムが組まれている放送の場合には、放送される時間により曲名を特定することができる。オンデマンドの場合には、ユーザのリクエストにより選曲が行われる。
【００３５】
ビデオボード２０は、表示器２２に表示する画像データを書き込むためのメモリで、このメモリボードに歌詞のテキストデータを転送することにより、表示器２２に歌詞が表示される。カーナビゲーション装置と一体に構成されている場合には、地図などを表示した上に、歌詞を表示してもよい。
【００３６】
表示器２２は、例えばカラー液晶パネルなどで形成され、歌詞を表示して曲の進行に合わせて歌詞を表示している色を変化させてもよい。
【００３７】
音声合成装置２４は、歌詞を音声信号に変換するもので各種の方式が提案され、ピッチや音量レベルの抑揚を付けることにより自然な音声を発声することができる。ここでは、テキストデータと抑揚の情報を供給することにより、音声が発生されるものとする。
【００３８】
また、ユーザが男性または女性とその年齢、アニメキャラクタ、有名な歌手や俳優などを指定することができ、発声される音声のフォルマントを制御することにより指定された声質で発声することができる。
【００３９】
ＣＤプレーヤ２６、ＭＤプレーヤ２８、ＭＰ３プレーヤ３０は、それぞれの規格に合致したディスク等のメディアを挿入すれば、そのメディアに記録されている楽曲が演奏されるものであり、音声合成装置２４の出力などと同様に、アンプ３２に入力され、スピーカ３４により放音される。アンプ３２として、デジタルアンプを使用した場合は、それぞれのデジタルオーディオ信号が入力され、加算される。
【００４０】
外部記憶装置３６は、フレキシブルディスクやＣＤ−ＲＯＭを挿入することができるもので、新たな楽曲の歌詞情報などをハードディスク１６の歌詞情報データベース１６ａへ追加することができるものである。
【００４１】
また、この音楽再生装置１には、ユーザが各種操作を行うためのボリュームやスイッチなどの操作子が備えられ、ＣＰＵ１０は、これらの操作状態を検出し処理を行う。
【００４２】
次に図２および図３に示すフローチャートにしたがって、ＣＰＵ１０が実行する処理について説明する。図２は、本発明による音楽再生装置１の電源が投入されてから、切断されるまで繰り返し実行されるメイン処理プログラム１２ａのフローチャートである。
【００４３】
まず、再生装置であるＣＤプレーヤ等をスキャンし（Ｓ２）、新たなディスクが挿入されたか否かを判断する（Ｓ４）。新たなディスクが挿入されたのではない場合には（Ｓ４：Ｎｏ）、後述する他の操作子の処理を行う。新たなディスクが挿入された場合には（Ｓ４：Ｙｅｓ）、ディスクに記憶されているＴＯＣを抽出し（Ｓ６）、このＴＯＣとハードディスク１６の歌詞情報データベース１６ａに記憶されている多数のＴＯＣとを比較し、一致する歌詞情報が記憶されているか否かを検索する（Ｓ８）。この検索は、ＲＯＭ１２に記憶されているＣＤ情報解析プログラム１２ｃを実行することにより行われる。
【００４４】
歌詞情報データベース１６ａに一致するＴＯＣが存在しない場合は（Ｓ８：Ｎｏ）、データ通信装置１８を介してサーバ４０にアクセスし、サーバ４０が保有する歌詞情報をダウンロードしてハードディスク１６の歌詞情報データベース１６ａに書き込む（Ｓ１０）。
【００４５】
歌詞情報データベース１６ａに一致するＴＯＣが存在する場合には（Ｓ８：Ｙｅｓ）、そのＴＯＣに対応するＣＤのタイトルや、そのＣＤに記録されている複数の曲名や演奏開始時間などの情報をビデオボード２０に転送し、表示器２２に表示させる（Ｓ１２）。また、この時、挿入されたＣＤに関する情報を、ハードディスク１６の挿入ＣＤ履歴データベース１６ｂに登録する。
【００４６】
一度でもＣＤ等を挿入したことがあれば、そのＣＤ等はユーザにより保有されているので、この時点以降では、ＣＤ等を挿入しなくても、歌詞の表示を許容し、保有していないＣＤ等について歌詞の表示を許容しないよう設定されている。なお、ＣＤ等をレンタルなどで借りた場合には、レンタルされたことを判別するＩＤ情報が読み込まれ、履歴が記録されないようにしてもよい。
【００４７】
Ｓ１２の処理で新たに装着されたＣＤに関する情報を表示した後、Ｓ２の処理に戻る。Ｓ４の判断処理で、新たなＣＤ等が装着されたのではないと判断した場合は（Ｓ４：Ｎｏ）、スタートの指示がなされたか否か判断し（Ｓ１４）、スタートの指示があった場合には（Ｓ１４：Ｙｅｓ）、ＣＤプレーヤ等に再生開始を指示し（Ｓ１８）、同時にＣＰＵのインタラプトをイネーブル（許可）に設定する（Ｓ２０）。
【００４８】
このインターラプトは、ＣＤ等が再生中にフレーム同期信号により発生するもので、ＣＰＵ１０は、インタラプトが発生する度に、カウントし、歌詞の表示および発声を行うものである。
【００４９】
Ｓ１４の判断処理で、スタートが指示されたのではない場合は、再生のストップが指示されたか否かを判断する（Ｓ２０）。再生のストップが指示された場合には、再生装置における再生を停止し（Ｓ２２）、インタラプトを禁止する（Ｓ２４）。
【００５０】
Ｓ２０の判断処理で、ストップが指示されたのではない場合は、その他のスイッチなどの操作子の状態を検出し、その状態が変更された場合には、その処理を行う。例えば、ＣＤ等に記録されている複数曲の中から再生する曲を選択したり、複数の曲の再生順序を設定したりすることである。また、ＣＤ等の記録媒体が、装着されていなくても、挿入ＣＤ履歴データベース１６ｂに、挿入履歴が記憶されていれば、歌詞を表示することができる。また、新たに装着したＣＤ等のＴＯＣからＣＤを識別して表示したが、誤って識別した場合には、再度検索しなおすようにしてもよい。
【００５１】
次に、図３に示す歌詞処理プログラム１２ｂのフローチャートを参照してＣＤプレーヤ等において再生中にフレーム同期信号が発生された場合に起動される処理について説明する。スタートスイッチが押された時にフレーム数ｆは、０に設定され、歌詞を表示するための時間情報を記憶したテーブルＡのポインタＰ１および歌詞を発声させるための時間情報を記憶したテーブルＢのポインタＰ２をそれぞれ、テーブルの最初のデータに設定している。
【００５２】
まず、時刻を計時する変数ｆを１インクリメントする（Ｓ３０）。その時刻において、歌詞表示テーブルのポインタＰ１が示すテーブルＡの時刻が、現時刻か否かを判断する（Ｓ３２）。ポインタＰ１が示す時刻情報が現時刻と一致する場合には、（Ｓ３２：Ｙｅｓ）、そのポインタが示すフレーズのテキストデータをビデオボード２０へ送信し、歌詞の表示を更新し、ポインタＰ１をインクリメントする（Ｓ３６）。Ｓ３２の判断処理において、ポインタＰ１が示す時刻が現時刻と一致しない場合と、Ｓ３６の処理が終了した場合は、つぎに、現時刻とポインタＰ２が示すテーブルＢの時刻情報が、現時刻か否かを判断する（Ｓ３８）。ポインタＰ２が示す時刻情報が現時刻と一致する場合には、（Ｓ３８：Ｙｅｓ）、そのポインタが示すフレーズのテキストデータを音声合成装置２４へ送信し、歌詞の発声を行い（Ｓ４０）、ポインタＰ２をインクリメントして（Ｓ４２）このルーチンを終了する。また、Ｓ３８の判断処理において、ポインタＰ２が示す時刻が現時刻と一致しない場合も、このルーチンを終了する。
【００５３】
なお、特許請求の範囲の請求項１記載の計時手段は、図３に記載のフローチャートのＳ３０の処理が該当する。
【００５４】
また、請求項１記載の時間情報は、図４のテーブルＡに示すｆａに該当し、請求項２記載の第２の時間情報は、同図テーブルＢに示すｆｂに該当する。
【００５５】
また、請求項２記載の識別手段は、図３に記載のフローチャートのＳ８に該当する。
【００５６】
以上、上記実施例に基づき本発明を説明したが、本発明は、上記実施例に何ら限定されるものでなく、本発明の趣旨を逸脱しない範囲内で種々の改良変形が可能であることは容易に推察できるものである。
【００５７】
例えば、上記実施例では、ＣＤのように記録されているＴＯＣに基づいて、ＣＤを特定したが、ＭＰ３などでは、曲名や歌手などをテキストデータで記憶することができるので、これらの情報に基づいて、記憶媒体を認識したり、曲名を認識するようにしてもよい。
【００５８】
また、上記実施例では、現在時刻を再生されているＣＤから読み出されるフレーム同期信号に基づいて計時するようにしたが、絶対時間で計時するようにしてもよい。ＣＤ等から読み出される同期信号により計時すれば、ＣＤ等を再生する再生速度（サンプリング周波数）が変化しても、正確に発声または表示を行うタイミングを合わせることができる。
【００５９】
絶対時間で計時する場合には、ＣＤ等から読み出される秒などの単位で、絶対時刻を補正するようにしてもよい。
【００６０】
また、上記実施例では、音楽再生装置は、記録媒体にデジタルオーディオデータが記録され、これを再生するものとしたが、電子楽器で用いられるＭＩＤＩ規格による演奏データを用いて、演奏テンポに従って再生する再生装置であってもよい。この場合には、テンポクロックの周期により演奏時間を得ることができる。
【００６１】
また、上記実施例では、音楽再生装置は、ＣＤプレーヤなどの楽音のみを再生するものとしたが、ビデオＣＤやＤＶＤのように楽音と映像を再生することができるものでもよい。
【図面の簡単な説明】
【００６２】
【図１】本発明の音楽再生装置のブロック図である。
【図２】メイン処理プログラムのフローチャートである。
【図３】歌詞を表示および発声する歌詞処理プログラムのフローチャートである。
【図４】歌詞情報を示す図である。
【符号の説明】
【００６３】
１                  音楽再生装置
１０                ＣＰＵ
１６                ハードディスク（歌詞情報記憶手段）
１８                データ通信装置（通信手段）
２２                表示器（表示手段）
２４                音声合成装置
２６                ＣＤプレーヤ（楽曲再生手段）
４０                サーバ
【図１】
2005258241.tif 000003
【図２】
2005258241.tif 000004
【図３】
2005258241.tif 000005
【図４】
2005258241.tif 000006